(57)【要約】【課題】長時間連続運転した場合でも送信側の入力映像の全てを受信側で再生できる並列映像伝送システムを提供することを目的とする。【解決手段】本発明に係る並列映像伝送システムは、原映像をｎ個（ｎは２以上の整数）に分割した部分映像の分割映像信号をそれぞれｎ本の伝送路に出力する送信器と、前記分割映像信号を映像受信装置で前記伝送路毎に受信し、前記分割映像信号の前記部分映像を映像再生装置で結合して前記原映像を再生する受信器と、を備える並列映像伝送システムであって、前記受信器は、前記分割映像信号を受信する際に前記分割映像信号の１つから前記分割映像信号に含まれる同期信号を取得し、前記映像受信装置に対し、前記分割映像信号の前記部分映像全てを前記同期信号に同期させて前記映像再生装置へ出力させることを特徴とする。【選択図】図１
2010288109.tif 000002
【特許請求の範囲】
【請求項１】
原映像をｎ個（ｎは２以上の整数）に分割した部分映像の分割映像信号をそれぞれｎ本の伝送路に出力する送信器と、
前記分割映像信号を映像受信装置で前記伝送路毎に受信し、前記分割映像信号の前記部分映像を映像再生装置で結合して前記原映像を再生する受信器と、
を備える並列映像伝送システムであって、
前記受信器は、前記分割映像信号を受信する際に前記分割映像信号の１つから前記分割映像信号に含まれる同期信号を取得し、前記映像受信装置に対し、前記分割映像信号の前記部分映像全てを前記同期信号に同期させて前記映像再生装置へ出力させることを特徴とする並列映像伝送システム。
【請求項２】
原映像をｎ個（ｎは２以上の整数）に分割した部分映像の分割映像信号をそれぞれｎ本の伝送路に出力し、
前記分割映像信号を前記伝送路毎に受信し、前記分割映像信号の前記部分映像を結合して前記原映像を再生する、
並列映像伝送方法であって、
前記分割映像信号を受信する際に前記分割映像信号の１つから前記分割映像信号に含まれる同期信号を取得し、前記分割映像信号の前記部分映像全てを前記同期信号に同期させて結合することと特徴とする並列映像伝送方法。
【請求項３】
原映像をｎ個（ｎは２以上の整数）に分割した部分映像の分割映像信号をそれぞれｎ本の伝送路から受信する映像受信装置と、
映像受信装置が受信した前記分割映像信号の前記部分映像を結合して前記原映像を再生する映像再生装置と、
前記分割映像信号を受信する際に前記分割映像信号の１つから前記分割映像信号に含まれる同期信号を取得し、前記映像受信装置に対し、前記分割映像信号の前記部分映像全てを前記同期信号に同期させて前記映像再生装置へ出力させる従属型映像同期発生装置と、
を備える受信器。
【請求項４】
原映像をｎ個（ｎは２以上の整数）に分割した部分映像の分割映像信号をそれぞれｎ本の伝送路から受信し、
前記分割映像信号の前記部分映像を結合して前記原映像を再生する際に、
前記分割映像信号の１つから前記分割映像信号に含まれる同期信号を取得し、前記分割映像信号の前記部分映像全てを前記同期信号に同期させることを特徴とする受信方法。
【請求項５】
原映像をｎ個（ｎは２以上の整数）に分割した部分映像の分割映像信号をそれぞれｎ本の伝送路から受信する映像受信機能と、
映像受信機能で受信した前記分割映像信号の前記部分映像を結合して前記原映像を再生する映像再生機能と、
前記分割映像信号の前記部分映像を結合して前記原映像を再生する際に、前記分割映像信号の１つから前記分割映像信号に含まれる同期信号を取得し、前記分割映像信号の前記部分映像全てを前記同期信号に同期させる従属型映像同期発生機能と、
をコンピュータに実現させるための受信プログラム。
【発明の詳細な説明】
【技術分野】
【０００１】
本発明は、送信時に空間的に分割された映像を受信時に結合する並列映像伝送システム及び並列映像伝送方法、受信器、受信方法、及び受信プログラムに関する。
【背景技術】
【０００２】
画素数の大きい映像に対応した映像送信装置は一般に高価である。このため、画素数の大きい映像を複数の小さな映像に分割し、小さい映像のみに対応した比較的安価な映像送信装置を複数使用して映像伝送システムを構成することが望ましい。
【０００３】
図５は、映像送信装置を複数個用いて構成される従来の並列映像伝送システムである。以下の説明は、映像送信装置が４つの場合で説明する。入力端１に入力された原映像は映像分割装置２に入力され、４つの部分映像に分割される。分割の方法は、たとえば、右上／右下／左上／左下の４等分する方法などがある。図３は原映像Ｖｍ（ｍは整数）の図である。原画像Ｖｍは連続して入力端１に入力される。図４は原映像Ｖｍを右上／右下／左上／左下に４等分に分割して生成した４つの部分映像（Ｖｍ−１、Ｖｍ−２、Ｖｍ−３、Ｖｍ−４）の図である。
【０００４】
４つの分割映像（Ｖｍ−１、Ｖｍ−２、Ｖｍ−３、Ｖｍ−４）は、それぞれ映像送信装置（４１、４２、４３、４４）へ入力される。４つの部分映像（Ｖｍ−１、Ｖｍ−２、Ｖｍ−３、Ｖｍ−４）は、映像送信装置（４１、４２、４３、４４）で圧縮され、伝送路（５１、５２、５３、５４）を経由して、映像受信装置（６１、６２、６３、６４）に入力される。映像受信装置（６１、６２、６３、６４）で伸長された４つの部分映像（Ｖｍ−１、Ｖｍ−２、Ｖｍ−３、Ｖｍ−４）は、映像再生装置８において、映像分割装置２での分割方法と逆の結合方法で、結合され原映像Ｖｍとなる。
【０００５】
しかし、図５のような構成では、４個の部分映像が映像送信装置（４１、４２、４３、４４）に入力されてから伝送路（５１、５２、５３、５４）を経由して映像受信装置（６１、６２、６３、６４）から出力されるまでの所要時間は伝送路（５１、５２、５３、５４）の状況により経路毎に異なる。図６は図５の並列映像伝送システムの受信側における部分映像のタイミングチャートである。図６において、Ｖ１−１、Ｖ１−２、Ｖ１−３、Ｖ１−４は原映像Ｖ１が分割された部分映像であり、Ｖ２−１、Ｖ２−２、Ｖ２−３、Ｖ２−４は原映像Ｖ２が分割された部分映像である。原映像Ｖ３以降も同様である。図５の並列映像伝送システムは、図６のように同一の原映像から分割された４つの部分映像が映像再生装置８に到着するタイミングが異なる。このため、例えば、部分映像（Ｖ２−１、Ｖ２−２、Ｖ２−３）に誤って原映像が異なる部分映像Ｖ３−４が結合されて誤映像として再生される可能性がある。
【０００６】
図６で説明したような誤映像を送信側で防ぐ並列映像伝送システムが知られている（例えば、特許文献１を参照。）。この並列映像伝送システムは、入力映像のフレーム番号を利用した情報を部分映像に付与するので、受信側は結合すべき部分映像を把握することができる。
【０００７】
また、図６で説明したような誤映像を受信側で防ぐ図７に示すような並列映像伝送システムも考えられる。図７の並列映像伝送システムは、図５の並列映像伝送システムの受信側に同期発生装置７を備えている。同期発生装置７は同期信号を出力し、映像受信装置（６１，６２，６３，６４）の同期入力端子に共通に与えて同期を確保する。本並列映像伝送システムは、各映像受信装置（６１，６２，６３，６４）が部分映像を出力するタイミングを一致させることができる。
【先行技術文献】
【特許文献】
【０００８】
【特許文献１】特開２００３−２９９０４６
【発明の概要】
【発明が解決しようとする課題】
【０００９】
しかし、同期発生装置７が発生する同期信号は内蔵するＰＬＬ等に従って発生させたものであり、映像分割装置２が部分映像を出力するタイミングとは無関係である。このため、映像分割装置２が部分映像を出力するタイミングと映像受信装置（６１、６２、６３、６４）が部分映像を出力するタイミングとがずれることがある。図８は、図７の並列映像伝送システムにおいて、映像分割装置２が部分映像を出力するタイミング、映像受信装置（６１、６２、６３、６４）が部分映像を出力するタイミング、同期発生装置７からの同期信号を比較した図である。
【００１０】
図７の並列映像伝送システムで長時間連続運転した場合には、送信側でＫ枚分の映像を伝送しても受信側でＫ−１枚分の映像しか出力されない場合などが起こる。出力されなかった映像は映像受信装置（６１、６２、６３、６４）の内部バッファに一時保管される。ところが、さらに時間が経過し、出力されなかった映像が増加した場合、内部バッファがオーバーフローし、内部バッファ内の映像が廃棄されることがある。すなわち、図７の並列映像伝送システムには長時間連続運転した場合に送信側の入力映像の全てを受信側で再生することが困難という課題がある。
【００１１】
前記課題を解決するために、本発明は、長時間連続運転した場合でも送信側の入力映像の全てを受信側で再生できる並列映像伝送システム、並列映像伝送方法、受信器、受信方法、及び受信プログラムを提供することを目的とする。
【課題を解決するための手段】
【００１２】
上記目的を達成するために、本発明に係る並列映像伝送システム、並列映像伝送方法、受信器、受信方法、及び受信プログラムは、送信側が部分映像を出力するタイミングと受信側が部分映像を結合するタイミングとを一致させることとした。
【００１３】
具体的には、本発明に係る並列映像伝送システムは、原映像をｎ個（ｎは２以上の整数）に分割した部分映像の分割映像信号をそれぞれｎ本の伝送路に出力する送信器と、前記分割映像信号を映像受信装置で前記伝送路毎に受信し、前記分割映像信号の前記部分映像を映像再生装置で結合して前記原映像を再生する受信器と、を備える並列映像伝送システムであって、前記受信器は、前記分割映像信号を受信する際に前記分割映像信号の１つから前記分割映像信号に含まれる同期信号を取得し、前記映像受信装置に対し、前記分割映像信号の前記部分映像全てを前記同期信号に同期させて前記映像再生装置へ出力させることを特徴とする。
【００１４】
本発明に係る並列映像伝送方法は、原映像をｎ個（ｎは２以上の整数）に分割した部分映像の分割映像信号をそれぞれｎ本の伝送路に出力し、前記分割映像信号を前記伝送路毎に受信し、前記分割映像信号の前記部分映像を結合して前記原映像を再生する、並列映像伝送方法であって、前記分割映像信号を受信する際に前記分割映像信号の１つから前記分割映像信号に含まれる同期信号を取得し、前記分割映像信号の前記部分映像全てを前記同期信号に同期させて結合することと特徴とする。
【００１５】
本発明に係る受信器は、原映像をｎ個（ｎは２以上の整数）に分割した部分映像の分割映像信号をそれぞれｎ本の伝送路から受信する映像受信装置と、映像受信装置が受信した前記分割映像信号の前記部分映像を結合して前記原映像を再生する映像再生装置と、前記分割映像信号を受信する際に前記分割映像信号の１つから前記分割映像信号に含まれる同期信号を取得し、前記映像受信装置に対し、前記分割映像信号の前記部分映像全てを前記同期信号に同期させて前記映像再生装置へ出力させる従属型映像同期発生装置と、を備える。
【００１６】
本発明に係る受信方法は、原映像をｎ個（ｎは２以上の整数）に分割した部分映像の分割映像信号をそれぞれｎ本の伝送路から受信し、前記分割映像信号の前記部分映像を結合して前記原映像を再生する際に、前記分割映像信号の１つから前記分割映像信号に含まれる同期信号を取得し、前記分割映像信号の前記部分映像全てを前記同期信号に同期させることを特徴とする。
【００１７】
本発明に係る受信プログラムは、原映像をｎ個（ｎは２以上の整数）に分割した部分映像の分割映像信号をそれぞれｎ本の伝送路から受信する映像受信機能と、映像受信機能で受信した前記分割映像信号の前記部分映像を結合して前記原映像を再生する映像再生機能と、前記分割映像信号の前記部分映像を結合して前記原映像を再生する際に、前記分割映像信号の１つから前記分割映像信号に含まれる同期信号を取得し、前記分割映像信号の前記部分映像全てを前記同期信号に同期させる従属型映像同期発生機能と、をコンピュータに実現させるためのプログラムである。
【００１８】
本発明に係る並列映像伝送システムの受信器は、従属型同期信号発生装置が分割映像信号に含まれる同期信号を利用し、映像受信装置が部分映像を出力する際の同期をとっている。送信側が部分映像を出力するタイミングと受信側が部分映像を結合するタイミングとが一致しているため、送信側でＫ枚分の映像を伝送すれば受信側もＫ枚分の映像を出力する。このため、出力されない映像は発生せず、バッファ内の映像は廃棄されない。
【００１９】
従って、本発明は、長時間連続運転した場合でも送信側の入力映像の全てを受信側で再生できる並列映像伝送システム、並列映像伝送方法、受信器、受信方法、及び受信プログラムを提供することができる。
【発明の効果】
【００２０】
本発明は、長時間連続運転した場合でも送信側の入力映像の全てを受信側で再生できる並列映像伝送システム、並列映像伝送方法、受信器、受信方法、及び受信プログラムを提供することができる。また、従来の並列映像伝送システムの受信側に従属型映像同期発生装置を追加することで容易に受信した映像の廃棄を防止できる。
【図面の簡単な説明】
【００２１】
【図１】本発明に係る並列映像伝送システムを説明するブロック図である。
【図２】本発明に係る並列映像伝送システムの映像受信装置から出力される部分映像のタイミングチャートである。
【図３】本発明に係る並列映像伝送システムに入力される原映像を説明する図である。
【図４】本発明に係る並列映像伝送システムの映像分割装置が原映像を分割した部分映像を説明する図である。
【図５】従来の並列映像伝送システムを説明するブロック図である。
【図６】従来の並列映像伝送システムの映像受信装置から出力される部分映像のタイミングチャートである。
【図７】従来の並列映像伝送システムを説明するブロック図である。
【図８】従来の並列映像伝送システムの映像受信装置から出力される部分映像のタイミングチャートである。
【図９】受信プログラムを実行するためのコンピュータの例を示した図である。
【発明を実施するための形態】
【００２２】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２３】
（実施形態１）
図１は、本実施形態の並列映像伝送システムを説明するブロック図である。並列映像伝送システムは、入力側で原画像を４つ（ｎ＝４）に分割して受信側へ伝送する場合で説明する。
【００２４】
並列映像伝送システムは、入力される原映像Ｖｍ（ｍは整数）を４個に分割した部分映像（Ｖｍ−１、Ｖｍ−２、Ｖｍ−３、Ｖｍ−４）の分割映像信号をそれぞれ４本の伝送路（５１、５２、５３、５４）に出力する送信器８０と、分割映像信号を映像受信装置（６１、６２、６３、６４）で伝送路（５１、５２、５３、５４）毎に受信し、分割映像信号の部分映像（Ｖｍ−１、Ｖｍ−２、Ｖｍ−３、Ｖｍ−４）を映像再生装置８で結合して原映像Ｖｍを再生する受信器９０と、を備える。
【００２５】
図３は原映像Ｖｍを説明する図である。送信器８０には原映像ＶｍがＶ１、Ｖ２、Ｖ３、・・・のように連続して入力される。以下の説明において入力される原映像Ｖｍをまとめて入力映像と記載することがある。各々の原映像Ｖｍには映像の始まりを示す表示信号が含まれる。このため、入力映像は表示信号が定期的に現れることになり、これを入力映像の同期信号とすることができる。
【００２６】
送信器８０は、映像分割装置２と映像送信装置（４１、４２、４３、４４）を有する。映像分割装置２は原画像１を４つに分割する。図４は映像分割装置２が原映像Ｖｍを右上／右下／左上／左下に４等分に分割して生成した４つの部分映像（Ｖｍ−１、Ｖｍ−２、Ｖｍ−３、Ｖｍ−４）の図である。部分映像（Ｖｍ−１、Ｖｍ−２、Ｖｍ−３、Ｖｍ−４）はそれぞれ原映像Ｖｍの表示信号を含む。映像分割装置２は部分映像（Ｖｍ−１、Ｖｍ−２、Ｖｍ−３、Ｖｍ−４）をそれぞれ映像送信装置（４１、４２、４３、４４）に出力する。
【００２７】
映像送信装置（４１、４２、４３、４４）は、部分映像（Ｖｍ−１、Ｖｍ−２、Ｖｍ−３、Ｖｍ−４）をＭＰＥＧ２等の映像圧縮手法を用いて圧縮する。さらに、映像送信装置（４１、４２、４３、４４）は、圧縮した部分映像（Ｖｍ−１、Ｖｍ−２、Ｖｍ−３、Ｖｍ−４）をそれぞれ分割映像信号として伝送路（５１、５２、５３、５４）に出力する。
【００２８】
伝送路（５１、５２、５３、５４）は分割映像信号を受信器９０に伝送する。
【００２９】
受信器９０は、映像受信装置（６１、６２、６３、６４）、映像再生装置８、及び従属型映像同期発生装置１０を有する。
【００３０】
従属型映像同期発生装置１０は、伝送路５１から分割映像信号を受信し、圧縮された部分映像Ｖｍ−１を伸長して表示信号を取り出す。従属型映像同期発生装置１０は、部分映像Ｖｍ−１を連続して受信するので、この表示信号を同期信号とすることができる。この同期信号は、部分映像Ｖｍ−１の表示信号を利用しているため、映像送信装置（４１、４２、４３、４４）が部分映像を出力するタイミングと一致する。すなわち、従属型映像同期発生装置１０が作り出す同期信号は入力映像の同期信号と一致する。さらに、従属型映像同期発生装置１０は、映像受信装置（６１、６２、６３、６４）に同期信号を出力する。なお、図１の従属型映像同期発生装置１０は、分割映像信号を伝送路５１から受信しているが、他の伝送路（５２、５３、５４）のいずれから受信してもかまわない。
【００３１】
映像受信装置（６１、６２、６３、６４）は、それぞれ伝送路（５１、５２、５３、５４）から分割映像信号を受信する。映像受信装置（６１、６２、６３、６４）は、圧縮された部分映像（Ｖｍ−１、Ｖｍ−２、Ｖｍ−３、Ｖｍ−４）を伸長する。さらに、映像受信装置（６１、６２、６３、６４）は、従属型映像同期発生装置１０から同期信号を受け、これに同期して部分映像（Ｖｍ−１、Ｖｍ−２、Ｖｍ−３、Ｖｍ−４）を出力する。
【００３２】
図２は、映像受信装置（６１、６２、６３、６４）が出力する部分映像（Ｖｍ−１、Ｖｍ−２、Ｖｍ−３、Ｖｍ−４）と同期信号のタイミングチャートである。従属型映像同期発生装置１０から同期信号を受けるため、映像受信装置（６１、６２、６３、６４）が出力する部分映像（Ｖｍ−１、Ｖｍ−２、Ｖｍ−３、Ｖｍ−４）は互いに出力タイミングが同じであり、図６のような出力タイミングのずれは生じない。
【００３３】
さらに、この同期信号は、映像送信装置（４１、４２、４３、４４）が部分映像を出力するタイミングと一致するため、長時間連続運転した場合でも、映像受信装置（６１、６２、６３、６４）は、映像送信装置（４１、４２、４３、４４）が出力した部分映像数と同数の部分映像を出力する。すなわち、映像受信装置（６１、６２、６３、６４）のバッファ内の映像は廃棄されない。
【００３４】
このため、部分映像（Ｖｍ−１、Ｖｍ−２、Ｖｍ−３、Ｖｍ−４）が映像送信装置（４１、４２、４３、４４）に入力されてから伝送路（５１、５２、５３、５４）を経由して映像受信装置（６１、６２、６３、６４）に到着するまでの所要時間が経路ごとに異なった場合でも、映像受信装置（６１、６２、６３、６４）は、原映像Ｖｍに同期した同期信号に合わせて再生された部分映像（Ｖｍ−１、Ｖｍ−２、Ｖｍ−３、Ｖｍ−４）を出力する。
【００３５】
映像再生装置８は、同一タイミングで入力される部分映像（Ｖｍ−１、Ｖｍ−２、Ｖｍ−３、Ｖｍ−４）を映像分割装置２の分割方法と逆の方法で空間的に結合し、原映像Ｖｍを出力する。図１の並列映像伝送システム及び受信器９０は、長時間連続運転した場合でも送信側の入力映像の全てを受信側で再生できる。
【００３６】
（実施形態２）
受信器９０は、映像受信装置（６１、６２、６３、６４）が原映像Ｖｍを４個に分割した部分映像（Ｖｍ−１、Ｖｍ−２、Ｖｍ−３、Ｖｍ−４）の分割映像信号をそれぞれ伝送路（５１、５２、５３、５４）から受信し、映像受信装置（６１、６２、６３、６４）が分割映像信号の部分映像（Ｖｍ−１、Ｖｍ−２、Ｖｍ−３、Ｖｍ−４）を結合して原映像Ｖｍを再生する際に、分割映像信号の１つから分割映像信号に含まれる同期信号を取得し、分割映像信号の部分映像（Ｖｍ−１、Ｖｍ−２、Ｖｍ−３、Ｖｍ−４）全てを同期信号に同期させる。
【００３７】
例えば、受信方法のプログラム（受信プログラム）を実行したコンピュータが受信器９０を上記のように動作させてもよい。すなわち、本プログラムは、原映像を４個に分割した部分映像の分割映像信号をそれぞれ４本の伝送路から受信する映像受信機能と、映像受信機能で受信した前記分割映像信号の前記部分映像を結合して前記原映像を再生する映像再生機能と、前記分割映像信号の前記部分映像を結合して前記原映像を再生する際に、前記分割映像信号の１つから前記分割映像信号に含まれる同期信号を取得し、前記分割映像信号の前記部分映像全てを前記同期信号に同期させる従属型映像同期発生機能と、をコンピュータに実現させるための受信プログラムである。分割する部分映像の数は２以上の整数であればよい。
【００３８】
図９は、記録媒体１００に記録された本受信プログラムを実行するためのコンピュータ３００の例を示した図である。コンピュータ３００は、フレキシブルディスク、ＣＤ−ＲＯＭ、ＤＶＤ等の記録媒体１００を読み取る記録媒体読み取り装置１１１と、作業用メモリ（ＲＡＭ）１１２と、記録媒体１００に記録されたプログラムを記憶するメモリ１１３と、ディスプレイ１１４と、入力装置であるマウス１１５及びキーボード１１６と、プログラムの実行を制御するＣＰＵ１１７と、データを記憶するハードディスク１１８と、ＬＡＮやインターネットに接続するケーブル１１９と、を備えている。図９では、作業用メモリ１１２、メモリ１１３、ＣＰＵ１１７及びハードディスク１１８は筐体に内蔵されるので破線で示している。
【００３９】
コンピュータ３００は、記録媒体１００が記録媒体読み取り装置１１１に挿入されると、記録媒体読み取り装置１１１から記録媒体１００に格納された受信プログラムがメモリ１１３にインストールされる。メモリ１１３へのインストール完了後、ＣＰＵ１１７は受信プログラムにアクセス可能になり、当該プログラムによって、コンピュータ３００は、受信器９０の動作を制御することが可能になる。
【００４０】
具体的には、コンピュータ３００は、映像受信装置（６１、６２，６３，６４）のそれぞれに対して伝送路（５１，５２，５３，５４）から分割映像信号を受信するように指示する。同時に、コンピュータ３００は、従属型映像同期発生装置１０に対して伝送路５１から分割映像信号を受信するように指示する。
【００４１】
さらに、コンピュータ３００は、従属型映像同期発生装置１０に対して圧縮された部分映像Ｖｍ−１を伸長して表示信号を取り出させ、この表示信号から同期信号を生成させる。そして、コンピュータ３００は、従属型映像同期発生装置１０にこの同期信号を映像受信装置（６１、６２，６３，６４）へ出力させる。
【００４２】
次に、コンピュータ３００は、映像受信装置（６１、６２，６３，６４）に対して、受信した分割映像信号に含まれる圧縮された部分映像（Ｖｍ−１、Ｖｍ−２、Ｖｍ−３、Ｖｍ−４）を伸長させる。そして、コンピュータ３００は、映像受信装置（６１、６２，６３，６４）に対して、これらの部分映像（Ｖｍ−１、Ｖｍ−２、Ｖｍ−３、Ｖｍ−４）が同一の原映像Ｖｍから分割されたものであるかを確認させる。例えば、この確認は、部分映像（Ｖｍ−１、Ｖｍ−２、Ｖｍ−３、Ｖｍ−４）に含まれる原映像Ｖｍのフレーム番号が一致しているか否かで判断できる。コンピュータ３００は、部分映像（Ｖｍ−１、Ｖｍ−２、Ｖｍ−３、Ｖｍ−４）が同一の原映像Ｖｍから分割されたものであると確認できたときに、映像受信装置（６１、６２，６３，６４）に対して、従属型映像同期発生装置１０からの同期信号に同期させて部分映像（Ｖｍ−１、Ｖｍ−２、Ｖｍ−３、Ｖｍ−４）を出力させる。
【００４３】
最後に、コンピュータ３００は、映像再生装置８に同一タイミングで入力される部分映像（Ｖｍ−１、Ｖｍ−２、Ｖｍ−３、Ｖｍ−４）を空間的に結合させ、原映像Ｖｍを出力させる。
【００４４】
なお、本実施形態では、外部からコンピュータ３００で受信器９０の動作を制御する場合を記載したが、コンピュータ３００が受信器９０として動作してもよい。この場合、コンピュータ３００は映像受信装置や従属型映像同期発生装置として光電変換ユニットを持ち、外部から複数の光ファイバ等で分割映像信号を受信してもよい。従属型映像同期発生装置として機能する光電変換ユニットからの同期信号に同期して映像受信装置として機能する光電変換ユニットは部分映像を出力する。また、コンピュータ３００は、映像再生装置としてビデオカードを持ち、部分映像を結合し、原映像をディスプレイ１１４へ出力する。ここでのコンピュータ３００は、図９のようなパーソナルコンピュータに限らず、記録媒体読み取り装置１１１、ＣＰＵ１１７を具備しソフトウエアによる処理や制御を行うＤＶＤプレーヤ、ゲーム機、携帯電話などを含む。
【産業上の利用可能性】
【００４５】
本発明は、送信器と受信器との間の伝送路が、電気信号、光信号、無線信号のいずれであっても適用することが可能である。
【符号の説明】
【００４６】
Ｖ１、Ｖ２、・・・、Ｖｍ：原映像（ｍは整数）
Ｖ１−１、Ｖ１−２、Ｖ１−３、Ｖ１−４、
・・・、Ｖ２−１、Ｖ２−２、Ｖ２−３、Ｖ２−４、
・・・、Ｖｍ−１、Ｖｍ−２、Ｖｍ−３、Ｖｍ−４：部分映像
２：映像分割装置
４１、４２、４３、４４：映像送信装置
５１、５２、５３、５４：伝送路
６１、６２、６３、６４：映像受信装置
７：同期発生装置
８：映像再生装置
９：再生映像
１０：従属型映像同期発生装置
１００：記録媒体
１１１：記録媒体読み取り装置
１１２：作業用メモリ
１１３：メモリ
１１４：ディスプレイ
１１５：マウス
１１６：キーボード
１１７：ＣＰＵ
１１８：ハードディスク
１１９：ケーブル
３００：コンピュータ
【図１】
2010288109.tif 000003
【図２】
2010288109.tif 000004
【図３】
2010288109.tif 000005
【図４】
2010288109.tif 000006
【図５】
2010288109.tif 000007
【図６】
2010288109.tif 000008
【図７】
2010288109.tif 000009
【図８】
2010288109.tif 000010
【図９】
2010288109.tif 000011